(57)【特許請求の範囲】
【請求項１】
着座状態の使用者の屈曲させた脚が前方から出入り可能な収納空間を有する台部材の天板に、平面視で前方開口袋状を成すように上端部全体が吊下げ可能とされ、当該吊下げ状態において前記前方開口袋状が上端部から下端部まで連続する生地部材で構成され、前記前方開口袋状の奥行き深さが着座状態の使用者の屈曲させた脚を収容可能な深さで構成され、かつ、前記前方開口袋状の上端部の幅が使用者の脚の幅より小さくされたひざ掛けであって、使用者が着座状態で脚を挿入すると使用者の脚の幅に対応して前記開口が大きくなる少なくとも１個の脚挿入部を設けたことを特徴とするひざ掛け。
【請求項２】
前記脚挿入部を平面視で前方開口袋状かつ扁平矩形状にしたことを特徴とする請求項１に記載のひざ掛け。
【請求項３】
前記脚挿入部を左右一対で設け、当該左右一対の脚挿入部の間に湾曲部を配置したことを特徴とする請求項１又は２に記載のひざ掛け。
【請求項４】
請求項１から３のいずれか１に記載のひざ掛けを構成する生地部材の上端が着脱可能に取付けられて、前記生地部材の天板からの吊下げを可能としたことを特徴とする吊下げ具。
【請求項５】
請求項１から３のいずれか１に記載のひざ掛けを構成する生地部材が着脱可能に取付けられて、前方開口袋状の脚挿入部を少なくとも１個以上設けた形状での前記生地部材の天板からの吊下げを可能としたことを特徴とする吊下げ具。
【請求項６】
台部材の天板に取付け部材を介して着脱可能に取付けることを特徴とする請求項４又は５の吊下げ具。
【請求項７】
着座状態の使用者の屈曲させた脚が前方から出入り可能な収納空間を有する台部材と、この台部材に装着されて前記使用者の屈曲させた脚を覆う請求項１から３のいずれか１に記載のひざ掛けを備えたことを特徴とする机構造体。
【請求項８】
ひざ掛けを前記台部材に固着手段を介して固定したことを特徴とする請求項７の机構造体。
【請求項９】
ひざ掛けを前記台部材に対して接合手段を介して着脱可能としたことを特徴とする請求項７の机構造体。
【請求項１０】
前記台部材が、天板の下方に前記収納空間が形成される机であることを特徴とする請求項７〜９のいずれか１の机構造体。
【請求項１１】
前記台部材が、前方に開口した前記収納空間を有する箱体であることを特徴とする請求項７〜９のいずれか１の机構造体。
【発明の詳細な説明】
【技術分野】
【０００１】
本発明は、ひざ掛け、ひざ掛けを構成する生地部材を吊下げるための吊下げ具、および机やテーブル等にひざ掛けが装着されてなる机構造体に関する。
【背景技術】
【０００２】
オフィス等でデスクワークを行う場合や、子供が勉強部屋で勉強する場合等において、ひざ掛けを使用することがある。この場合、椅子に対して着座状態の使用者の屈曲させた脚に、使用者自身がひざ掛けを掛けてデスクワーク等を行うことになる。しかしながら、ひざ掛けを単に掛けるだけであるので、ひざ掛けがひざからずれたり、さらにはずれ落ちたりする場合があり、このような場合には、再度掛け直す作業を行う必要があった。また、席を外すときには、そのひざ掛けを折畳んだりして、机の上に置いたり、椅子の背もたれに引っ掛けたりする。そして、再度着席する際には、そのひざ掛けを掛けることになる。【０００３】
そのため、ひざ掛けを使用するに際しては、その使用者にとって煩わしい作業を行わなければならなかった。そこで、従来には、ひざ掛けを机の天板の下面に取付け、席を立った際に、ひざ掛けを椅子の背もたれ等に引っ掛けたりする必要がないようにしたものがある（特許文献１）。
【特許文献１】特開２００２−６１０１０号公報
【発明の開示】
【発明が解決しようとする課題】
【０００４】
特許文献１に記載のものでは、ひざ掛けを机の天板の下面に取付けるようにしたものであって、使用していないときには、ひざ掛けが天板から吊り下げられている状態である。このため、使用する際には、その吊り下げ状態のひざ掛けを広げてひざにかける作業を行う必要があり、その作業が煩わしく、しかも、使用中に、ひざ掛けがずれるおそれもあり、ずれれば、掛けなおさなければならなかった。【０００５】
本発明は、上記課題に鑑みて、使用者が着座して屈曲させた脚を収納空間に挿入したのみで、脚を覆うことができ、しかも、使用中においては、ずれることがなくなって、掛けなおす必要がないひざ掛け、このひざ掛けを構成する生地部材を吊下げるための吊下げ具、およびこのひざ掛けを使用した机構造体を提供する。
【課題を解決するための手段】
【０００６】
本発明のひざ掛けは、着座状態の使用者の屈曲させた脚が前方から出入り可能な収納空間を有する台部材の天板に、平面視で前方開口袋状を成すように上端部全体が吊下げ可能とされ、当該吊下げ状態において前記前方開口袋状が上端部から下端部まで連続する生地部材で構成され、前記前方開口袋状の奥行き深さが着座状態の使用者の屈曲させた脚を収容可能な深さで構成され、かつ、前記前方開口袋状の上端部の幅が使用者の脚の幅より小さくされたひざ掛けであって、使用者が着座状態で脚を挿入すると使用者の脚の幅に対応して前記開口が大きくなる少なくとも１個の脚挿入部を設けたものである。ここで、台部材とは、事務机、勉強机、及び食卓（テーブル）等の机、さらには、各種の作業を行う作業台等を含み、既存のものであっても、このひざ掛け用に別途製作したものであってもよい。
【０００７】
本発明のひざ掛けでは、台部材にひざ掛けを装着できるので、この台部材の前に着座すれば、使用者の屈曲させた脚を脚挿入部に挿入することができる。【０００８】
本発明に使用する吊下げ具は、ひざ掛けを構成する生地部材の上端が着脱可能に取付けられて、前記生地部材の天板からの吊下げを可能としたものである。なお、生地部材には、生地（布）、不織布、プラスチックフィルム等を含むものであって、保温性があってひざ掛け等として機能するものであればよい。
【０００９】
本発明に使用する吊下げ具では、天板を有する台部材に、ひざ掛けを構成する生地部材の上端を吊下げることができる。このため、生地部材を吊下げた状態で、この台部材の前に着座すれば、使用者の屈曲させた脚をこの生地部材にて覆うことができる。
【００１０】
ひざ掛けを構成する生地部材が着脱可能に取付けられて、前方開口袋状の脚挿入部を少なくとも１個以上設けた形状での前記生地部材の天板からの吊下げを可能とした。このため、使用者は、使用者の屈曲させた脚を脚挿入部に挿入することができ、安定して脚をこの生地部材にて覆うことができる。
【００１１】
また、吊下げ具を、台部材の天板に取付け部材を介して着脱可能に取付けることができる。これによって、既存（市販）の机等の天板に取付けることができ、しかも、生地部材としても、既存（市販）の布等を使用することができる。【００１２】
本発明を使用した机構造体は、着座状態の使用者の屈曲させた脚が出入り可能な収納空間を有する台部材と、この台部材に装着されて前記使用者の屈曲させた脚を覆うひざ掛けとを備え、ひざ掛けに前方開口袋状の脚挿入部を少なくとも１個以上設けたものである。
【００１３】
本発明を使用した机構造体では、ひざ掛けに前方開口袋状の脚挿入部を設けているので、使用者が着座して、その屈曲させた脚を収納空間に挿入すれば、ひざ掛けの脚挿入部に脚を挿入することができる。また、脚挿入部から脚を抜けば、席を立つことができ、その際、ひざ掛けは台部材に装着されているので、ひざ掛けを折り畳んだりする作業を行う必要がない。
【００１４】
ひざ掛けを台部材に固着手段を介して固定したり、接合手段を介して着脱可能としたりすることができる。固着手段を介して固定した場合、使用中等においてひざ掛けが不意に台部材から外れることがなくなる。また、接合手段を介して着脱可能とすれば、ひざ掛けが汚れたりした場合には、取り外して洗濯したりすることができる。【００１５】
前記台部材が、天板の下方に前記収納空間が形成される机であったり、前方に開口する前記収納空間を有する箱体であったりする。
【発明の効果】
【００１６】
本発明のひざ掛けでは、台部材にひざ掛けを装着することによって、この台部材の前に着座すれば、使用者の屈曲させた脚を前方開口袋状の脚挿入部に挿入することができる。このため、脚をこのひざ掛けにて覆うことができる。使用者はひざ掛けを直接的に取り扱うことなく、着座（着席）するだけで、ひざ掛けにて脚を覆うことができ、脚の寒さを防ぐことができる。また、ひざ掛けは、脚挿入部を形成したままの形状を維持でき、脚を覆っている状態が崩れることがなくなって、使用者がひざ掛けを掛けなおす作業も行う必要がなくなるとともに、席を立つ際においても、ひざ掛けを折畳んだりする煩わしい作業を行う必要がない。しかも、既存の机等の台部材に装着することも可能であって、ひざ掛けを必要とする際に机等に装着すればよく、逆に、デスクワーク等を行ううえで、ひざ掛けが不用であれば、机等から取り外せばよい。
【００１７】
本発明に使用する吊下げ具では、この吊下げ具を介して天板から吊下げた生地部材にて使用者の屈曲させた脚を覆うことができる。このため、この生地部材にて脚の寒さを防ぐことができる。しかも、生地部材は、その上端が引っ掛けられるので、全体が天板から吊下げられた状態である。このため、着座する際に使用者がこの吊り下がっている生地部材にひざを押し込めば、ひざをこの生地部材にて覆うことができ、生地部材をひざに掛けるという作業を行う必要もなり、また、生地部材は台部材に装着されているので、席を立つ際に、生地部材を折畳んだりする煩わしい作業を行う必要がない。
【００１８】
生地部材の形状を、前方開口袋状の脚挿入部が設けられた形状とすれば、この台部材の前に着座すれば、使用者の屈曲させた脚を脚挿入部に挿入することができる。すなわち、この既存（市販）の布等からなる生地部材にて使用者の脚を確実に覆うことができるひざ掛けを構成することができる。
【００１９】
また、吊下げ具を、台部材の天板に取付け部材を介して着脱可能に取付けることができる。これによって、既存（市販）の机等の天板に取付けることができ、しかも、生地部材としても、既存（市販）の布等を使用することができる。このため、コストの低減を図ることができる。また、使用しないときには、この吊下げ具のみを単独で保管することができ、嵩張らず取り扱いが至便である。これに対して、使用時には、台部材の天板に取付け、この吊下げ具に生地部材を吊下げればよく、ひざ掛け付きの机等を簡単に構成することができる。【００２０】
本発明を使用した机構造では、使用者が着座して、その屈曲させた脚を収納空間に挿入すれば、ひざ掛けの脚挿入部に脚を挿入することができ、これによって、屈曲させた脚をひざ掛けにて覆うことができる。このため、使用者はひざ掛けをひざに掛ける作業を省略することができる。すなわち、使用者はひざ掛けを直接的に取り扱うことなく、着座（着席）するだけで、ひざ掛けにて脚を覆うことができ、脚の寒さを防ぐことができる。また、ひざ掛けは、前方開口袋状の脚挿入部を形成した状態で台部材に装着されるので、使用中にひざ掛けがずれことがなくなる。このため、使用者がひざ掛けを掛けなおす作業も行う必要がなくなる。さらに、脚挿入部から脚を抜けば、席を立つことができ、その際、ひざ掛けは台部材に装着されているので、ひざ掛けを折畳んだりする煩わしい作業を行う必要がない。
【００２１】
ひざ掛けを固着手段を介して固定した場合、使用中等においてひざ掛けが不意に台部材から外れることがなくなる。このため、ひざ掛けを安定した姿勢のまま使用することができ、至便である。接合手段を介して着脱可能とすれば、ひざ掛けが汚れたりした場合には、取り外して洗濯したりすることができる。このため、ひざ掛けを常時清潔な状態で使用できる。また、ひざ掛けが破れたりして損傷した場合には、取り外して、補修したり、新しいものと交換したりすることができる。さらに、ひざ掛けが不用であれば、取り外しておけばよい。
【図面の簡単な説明】
【００２２】
【図１】本発明のひざ掛けを使用した机構造体の第１実施形態を示す断面側面図である。
【図２】前記机構造体のひざ掛けの形状を示し、（ａ）は使用前の状態の簡略断面平面図であり、（ｂ）は使用中の略断面平面図である。
【図３】前記机構造体のひざ掛けの形状を示し、（ａ）は図２（ａ）のＡ−Ａ線断面図であり、（ｂ）は図２（ｂ）のＢ−Ｂ線断面図である。
【図４】前記机構造体のひざ掛けを固着手段にて台部材に固着した状態の要部断面図である。
【図５】前記机構造体のひざ掛けを接合手段にて台部材に接合した状態を示し、（ａ）は取付具とマグネット体とで構成した接合手段の断面図であり、（ｂ）はマグネットからなる取付具にて構成した接合手段の断面図であり、（ｃ）は面ファスナーから構成した接合手段の断面図である。
【図６】本発明を使用した机構造体の第２実施形態を示す簡略断面平面図である。
【図７】本発明を使用した机構造体の第３実施形態を示す平面図である。
【図８】本発明に使用する吊下げ具の実施形態を示す簡略底面図である。
【図９】前記吊下げ具の取付け状態を示す簡略図である。
【図１０】前記吊下げ具の変形例を示す簡略底面図である。
【図１１】本発明を使用した机構造体の第４実施形態を示す簡略斜視図である。
【符号の説明】
【００２３】
１    脚
２    収納空間
３    台部材
４    ひざ掛け
１６  脚挿入部
１７  固着手段
１８  接合手段
Ｋ    生地部材
【発明を実施するための最良の形態】
【００２４】
本発明に係るひざ掛け、吊下げ具、および机構造体の実施形態を図１〜図８に基づいて説明する。【００２５】
このひざ掛けは、生地（布）、不織布、プラスチックフィルム等にて構成している。すなわち、ひざ掛け４を構成する生地部材Ｋ（生地、不織布、プラスチックフィルム等からなる）は可撓性を有し、図２に示すように、平面視において、Ｖ字状に湾曲された湾曲部１５が形成される。この湾曲部１５によって、半長円形状の前方開口袋状の脚挿入部１６、１６が形成される。
【００２６】
そして、ひざ掛け４は、図１に示すように、着座状態の使用者Ｓの屈曲させた脚１が前方から出入り可能な収納空間２を有する台部材３に装着される。この台部材３とひざ掛け４とで、本発明を使用した机構造体を構成することができる。このため、机構造体を構成する場合、台部材３に装着する前においては、ひざ掛け４は脚挿入部１６、１６が形成されていなくて、装着によって脚挿入部１６、１６が形成されるものであっても、台部材３に装着する前においても挿入部１６、１６が形成されているものであってもよい。しかしながら、台部材３に装着しないで、ひざ掛け４を単独で使用する場合等においては、挿入部１６、１６が形成されて型くずれしにくいようにいわゆるくせを付けておくのが好ましい。この場合、型くずれ防止用の骨枠等をいれておくとよい。
【００２７】
図１と図２に示す机構造体の第１実施形態の台部材３は、天板５と、左右の側板６，６と、裏板７とを備える机１４からなる。このため、使用者が椅子１０に座った状態（着座状態）で、屈曲させた脚１を台部材３の前方開口部から挿入することができる。なお、机１４として、引出し８を有さない場合もある。また、椅子１０は、座部１１と、背もたれ１２と、脚体１３等からなる。そして、ひざ掛け４の脚挿入部１６は、机１４の前に着座した使用者Ｓの脚１が挿入されればよいので、その深さＤは例えば５ｃｍ〜３０ｃｍ程度とされ、幅寸法Ｗは後述するように狭いほうが好ましい。【００２８】
机構造体を構成するひざ掛け４は、例えば、図４に示すように、固着手段１７を介して台部材３である机１４に固着される。この場合、ひざ掛け４の上端４ａが、固着手段１７である接着材１９を介して引出し８（又は天板５）の下面に固着される。この場合、ひざ掛け４の上端４ａの全体に亘って連続して接着材１９を塗布するようにしても、所定間隔に接着材１９を塗布してもよい。【００２９】
また、図４の場合と相違して、図５に示すように、接合手段１８を介して台部材３である机１４に着脱可能に取付けるようにしてもよい。すなわち、図５（ａ）では、接合手段１８を、ひざ掛け４の上端４ａに装着される断面Ｕ字状の取付具２１と、この取付具２１に一体的に取付けられるマグネット体２２とから構成している。そして、机１４をスチール机として、マグネット体２２を引出し８（又は天板５）の下面に吸着している。図５（ｂ）では、取付具２１をマグネットにて構成し、この取付具２１を引出し８（又は天板５）の下面に吸着させている。なお、机１４がスチール机でない場合には、マグネット体２２を天板５の下面に磁性体を取付け、この磁性体に図５（ａ）に示すマグネット体２２を吸着させたり、図５（ｂ）に示す取付具２１を吸着させたりすることができる。【００３０】
図５（ｃ）では、接合手段１８に面ファスナ２３を使用している。ここで、面ファスナとは、細かいループを多数密生させた第１テープ体２３ａと、細かいフックを多数密生させた第２テープ体２３ｂとからなる。そして、第１テープ体２３ａを机１４の引出し８の下面に接着材等を介して取付けるとともに、第２テープ体２３ｂをひざ掛け４の上端４ａに接着材等を介して取付けている。また、第１テープ体２３ａをひざ掛け４側とするとともに、第２テープ２３ｂを机１４側としてもよい。【００３１】
このように、図５（ａ）（ｂ）（ｃ）等に示す接合手段１８を使用すれば、ひざ掛け４を机１４から取り外すことができ、また、その取り外し状態から、取付けることができる。【００３２】
本発明のひざ掛けを使用した机構造体では、使用前（台部材３にひざ掛け４が吊り下げられて、使用者Ｓが着座していない状態）では図２（ａ）と図３（ａ）に示すように、脚挿入部１６の幅寸法Ｗが上下で略同一の小となっている。その状態から、使用者Ｓが着座して、その屈曲させた脚１を収納空間２に挿入すれば、ひざ掛け４の脚挿入部１６に脚１を挿入することができ、これによって、屈曲させた脚１をひざ掛け４にて覆うことができる。この際、図２（ｂ）と図３（ｂ）に示すように、ひざ掛け４の脚挿入部１６の上端部１６ａにおいては幅寸法Ｗ（Ｗａ）が小さいままであるが、脚１の対応部においては、幅寸法Ｗ（Ｗｂ）が脚１の幅に対応して大きくなる。このため、使用者Ｓのひざよりも上部の太もも（水平状となっている）をも覆うことができる。【００３３】
このように、机構造体では、使用者Ｓが着座して、その屈曲させた脚１を収納空間２に挿入すれば、ひざ掛け４の脚挿入部１６に脚１を挿入するのみで、屈曲させた脚１をひざ掛け４にて覆うことができることになり、使用者Ｓはひざ掛け４をひざに掛ける作業を省略することができる。すなわち、使用者Ｓはひざ掛け４を直接的に取り扱うことなく、着座（着席）するだけで、ひざ掛け４にて脚を覆うことができ、脚４の寒さを防ぐことができる。また、ひざ掛け４は、前方開口袋状の脚挿入部１６を形成した状態で台部材３に装着されるので、使用中にひざ掛け４がずれることがなくなる。このため、使用者がひざ掛けを掛けなおす作業も行う必要がなくなる。さらに、脚挿入部から脚を抜けば、席を立つことができ、その際、ひざ掛け４は台部材３に装着されているので、ひざ掛け４を折畳んだりする煩わしい作業を行う必要がない。
【００３４】
図４に示すように、ひざ掛け４を固着手段１７を介して固定した場合、使用中等においてひざ掛け４が不意に台部材から外れることがなくなる。このため、ひざ掛け４を安定した姿勢のまま使用することができ、至便である。また、図５に示すように、接合手段１８を介して着脱可能とすれば、ひざ掛け４が汚れたりした場合には、取り外して、洗濯したりすることができる。このため、ひざ掛け４を常時清潔な状態で使用できる。また、ひざ掛け４が破れたりして損傷した場合には、取り外して補修したり、新しいものと交換したりすることができる。すなわち、既存の机１４等の台部材３に装着することも可能であって、ひざ掛け４を必要とする際に机等に装着すればよく、逆に、デスクワーク等を行ううえで、ひざ掛け４が不用であれば、机等から取り外せばよい。【００３５】
次に、図６は机構造体の第２実施形態を示し、この場合、Ｕ字状に湾曲された湾曲部１５を形成している。すなわち、平面視において扁平矩形状一対の脚挿入部１６が所定間隔で略平行に配設されている。このため、脚挿入部１６間にもこのひざ掛け４を構成する生地を有することになる。そして、湾曲部の開口部１５ａの開口幅Ｗ１も、脚挿入部１６の幅寸法Ｗと同様小さくしている。この机構造体も、ひざ掛け４が天板５の裏面等に図４に示す固着手段１７や図５に示す接合手段１８を介して装着される。このため、開口部１５ａを介して使用者Ｓの脚１を挿入することができ、図１に示す机構造体と同様の作用効果を奏することができる。【００３６】
ところで、前記第１実施形態等では、ひざ掛け４の脚挿入部１６は２個であったが、脚挿入部１６として３個以上の複数個であってもよい。図７に示す机構造体の第３実施形態では、図２に示す形状の脚挿入部１６を４個形成している。このように、複数個の脚挿入部１６を設けることによって、複数人が同時に使用することができるテーブル２５等に適用することができる。なお、図７に示すテーブル２５は、天板２６と、天板２６の下面のコーナ部から垂下される棒状の脚体２７とからなる。このため、ひざ掛け４が、図４に示す固着手段１７や図５に示す接合手段１８を介してテーブル２５の天板２６の下面（裏面）に装着される。【００３７】
従って、この図７に示す机構造体も、図１に示す机構造体と同様の作用効果を奏することができる。しかも、脚挿入部１６を４個有することによって、二人同時に利用しても、この二人の使用者の脚をひざ掛け４にて覆うことができる。なお、脚挿入部１６を複数個設ける場合、もちろん５個以上であってもよい。【００３８】
次に図８は本発明に使用する吊下げ具Ｓを示し、この吊下げ具Ｓは、天板５に取付けられる支持フレーム３５と、この支持フレーム３５に支持されるクリップ部材３６とを備え、クリップ部材３６を介して、ひざ掛け４を構成する生地部材Ｋを天板５に吊下げることができる。
【００３９】
すなわち、支持フレーム３５を天板５に付設し、この支持フレーム３５に、図９に示すように、クリップ部材３６を支持する。支持フレーム３５は、一対の直線部３５ａ、３５ｂと、この直線部３５ａ、３５ｂ間に配設される略Ｖの字状の湾曲部３５ｃとからなる。また、クリップ部材３６は、例えば、図９に示すように、一対のアーム４０と、このアーム４０を揺動自在に枢支する枢支軸と、アームの一端（先端）側の端部挟持部４０ａを相互に接近する方向に弾性的に付勢する弾発部材（バネ部材）を備えたクリップ体等にて構成することができる。そして、複数のクリップ部材３６を支持アーム３５に所定ピッチで付設している。なお、支持フレーム３５は、例えば、天板５に取付け部材としてのねじ部材３８を介して着脱に付設される支持フレーム３７に設けられる。【００４０】
このため、各クリップ部材３６を、アーム４０の他端（上端）側を弾発部材の弾発力に抗して相互に接近する方向に押圧することによって、アーム４０の端部挟持部４０ａを相互に離間させることができる。そして、この離間させた状態で、端部挟持部４０ａ間にひざ掛け４を挿入し、アーム４０の他端（上端）側の押圧力を解除すれば、弾発部材の復元力にて、端部挟持部４０ａが相互に接近して生地部材Ｋを挟持することができ、これによって、生地部材Ｋを天板５に吊り下げることができる。【００４１】
このように生地部材Ｋの上端を吊下げ具Ｓを介して天板５に吊り下げれば、図８に示すものでは、生地部材Ｋが図２（ａ）に示すような形状となってひざ掛け４を構成する。このため、生地部材Ｋを吊下げた状態で、この台部材３の前に着座すれば、使用者の屈曲させた脚１を脚挿入部１６に挿入することができる。すなわち、この既存（市販）の布等からなる生地部材Ｋにて使用者の脚を覆うひざ掛けを構成することができる。しかも、生地部材Ｋは、その上端が引っ掛けられるので、全体が天板５から吊下げられた状態である。このため、着座する際に使用者がこの吊り下がっている生地部材  Ｋにひざを押し込めば、ひざをこの生地部材Ｋにて覆うことができ、生地部材Ｋをひざに掛けるという作業を行う必要もなり、また、生地部材Ｋは台部材３に装着されているので、席を立つ際に、生地部材Ｋを折畳んだりする煩わしい作業を行う必要がない。【００４２】
また、吊下げ具Ｓを、台部材３の天板５に取付け部材（ねじ部材３８）を介して着脱可能に取付けることができる。これによって、既存（市販）の机等の天板５に取付けることができ、しかも、生地部材Ｋとしても、既存（市販）の布等を使用することができる。このため、コストの低減を図ることができる。しかも、使用しないときには、この吊下げ具のみを単独で保管することができ、嵩張らず取り扱いが至便である。また、使用時には、台部材３の天板５に取付け、この吊下げ具Ｓに生地部材Ｋを吊下げればよく、ひざ掛け付きの机等を簡単に構成することができる。【００４３】
また、複数のクリップ部材３６を図１０に示すように配設すれば、図６に示すような生地部材Ｋを図６に示すような形状でもって天板５に吊下げることができる。このため、この吊下げ具Ｓあっても、生地部材Ｋを吊下げた際には、図６に示す机構造体と同様の作用効果を奏することができる。【００４４】
次に図１１は、机構造体の第４実施形態を示し、この場合、台部材３として、机やテーブルではなく、前方に開口する収納空間２を有する箱体３０にて構成している。すなわち、この箱体３０は、上壁３１と、側壁３２、３２と、後壁３３とからなる。そして、ひざ掛け４が上壁３１に図４に示す固着手段１７や図５に示す接合手段１８等を介して装着される。なお、この箱体３０においては後壁３３を省略することができる。【００４５】
図１１に示す机構造体であっても、箱体３０の前に置いた椅子に使用者Ｓが着座すれば、その屈曲させた脚１を開口部２８を介して収納空間２に挿入することができ、これによって、ひざ掛け４の脚挿入部１６に脚を挿入することができる。このため、この机構造体を机やテーブル等として使用することができ、しかも図１等に示す机構造体と同様の作用効果を奏することができる。また、このような箱体３０を使用する場合、この箱体３０と既存の机やテーブル等とを組み合わせて使用したり、この箱体３０を単独で使用したりすることができる。【００４６】
以上、本発明の実施形態につき説明したが、本発明は前記実施形態に限定されることなく種々の変形が可能であって、例えば、脚挿入部１６の形状として、図２に示すような半長円形状以外に、脚１を覆うことが出来る種々のものに変更可能である。すなわち、ひざ掛け４は可撓性を有する生地等であるので、種々の形状に変形でき、しかも脚挿入前の形状が脚１に対して多少相違していても、ひざ掛け４を脚形状に合わせることができる。【００４７】
図４に示すように接着材１９からなる固着手段１７を使用する場合、接着材１９を直接的にひざ掛け４に塗布せずに、木板、金属板、プラスチック板等を介して塗布するようにしてもよい。また、使用する接着材１９としては、ひざ掛け４の材質及び台部材３の材質等に基づいて種々選択できる。また、固着手段１７として、リベット等の取付具を使用してもよい。【００４８】
図５（ａ）（ｂ）に示す接合手段１８の取付具２１として、断面Ｕの字状のものを使用せずに、帯状平板体を使用してもよい。また、図５（ａ）においては、取付具２１にマグネット体２２を取付けることになるので、この取付具２１は金属以外の木製やプラスチック製等であってもよい。【００４９】
さらに、接合手段１８を使用してひざ掛け４の取り外しを可能とする場合、接合手段１８として、天板５の下面に付設されるリング体と、ひざ掛け４に付設されるフック体とから構成することができる。このように、リング体とフック体とから構成すれば、フック体をリング体に係合させることによって、ひざ掛け４を机１４等の収納空間２に吊り下げることができ、しかも、このフック体のリング体係合状態を解除すれば、ひざ掛け４を机１４から取り外すことができる。また、リング体をひざ掛け４側に装着するとともに、フック体を台部材３側に付設してもよい。【００５０】
吊下げ具Ｓとして、窓枠等に装着されるカーテンレールと同様なレールと、このレールに沿って走行可能なローラとを備え、このローラに生地部材Ｋを着脱可能に取付けるようにしたものであってもよい。このようにすれば、レール形状に沿った形状に生地部材Ｋを吊り下げることができ、しかもこのレールに沿ってひざ掛け４を移動させることができる。また、生地部材Ｋを挟むものとして、マグネットと、このマグネットが吸着する磁性体とから構成して、このマグネットと磁性体とで生地部材Ｋを挟持するようにしてもよく、さらに、フック部材等にて生地部材Ｋを引っ掛けるようにしてもよい。【００５１】
また、吊下げ具Ｓとして、格子状又は目の荒いメッシュ状のネット体等からなる網目状素材を使用してもよい。すなわち、このような網目状素材を机等の天板５の裏面（下面）に付設し、この網目状素材にて構成される吊下げ具に生地部材Ｋを吊下げるようにしてもよい。この場合、網目状素材に生地部材Ｋを挟むクリップ等を付設してもよく、このようなクリップを付設することなく、網目状素材にて生地部材Ｋを直接挟むものであってもよい。このような網目状素材を使用すれば、使用者の所望も形状でもって生地部材Ｋを天板５から吊下げることができる。このため、使用者の体格等に応じて生地部材Ｋの形状を変更することができ、使用者にとって使い勝手がよい。【００５２】
図２や図６に示すものでは、台部材３として机１４（事務机や勉強机等）であったが、この図２や図６に示すひざ掛け４を、図７に示すようなテーブル（食卓等）に使用してもよく、また、図７にひざ掛け４を図２や図６に示す机１４に使用してもよい。さらに、図８に示すような箱体３０に、図６や図７に示すひざ掛け４を使用してもよい。また、ひざ掛け４として、図２に示すものと図６に示すものとを組み合わせたものであってもよい。ひざ掛け４を構成する生地等も、１枚であっても、複数枚を重ねたものであってもよい。
【産業上の利用可能性】
【００５３】
台部材とは、事務机、勉強机、及び食卓（テーブル）等の机、さらには、各種の作業を行う作業台等を含み、既存のものであっても、このひざ掛け用に別途製作したものであってもよい。
【図１】
0005295757.tif 000002
【図２】
0005295757.tif 000003
【図３】
0005295757.tif 000004
【図４】
0005295757.tif 000005
【図５】
0005295757.tif 000006
【図６】
0005295757.tif 000007
【図７】
0005295757.tif 000008
【図８】
0005295757.tif 000009
【図９】
0005295757.tif 000010
【図１０】
0005295757.tif 000011
【図１１】
0005295757.tif 000012